(57)【要約】【課題】メイン画像に複数の人物の顔があって、これらの顔のいずれかにサブ画像が重なってしまう場合、隠れるのを避けたい重要な人物の顔にサブ画像が重なってしまう可能性がある。【解決手段】メイン画像に表示された人物の顔領域を検出する顔領域検出部５２と、検出された顔領域について、メイン画像における重要度を判断する顔重要度判断部５５と、顔領域の重要度に基づいて、メイン画像におけるサブ画像の表示位置を設定する表示位置設定部５６と、を有する。【選択図】図２
2011134173.tif 000002
【特許請求の範囲】
【請求項１】
メイン画像と、当該メイン画像に重なるサブ画像とを表示することが可能な画像表示装置であって、
前記メイン画像に表示された人物の顔領域を検出する顔領域検出部と、
前記検出された顔領域について、前記メイン画像における重要度を判断する顔重要度判断部と、
前記顔領域の重要度に基づいて、前記メイン画像における前記サブ画像の表示位置を設定する表示位置設定部と、を有することを特徴とする画像表示装置。
【請求項２】
人物の顔画像の特徴量が登録された顔特徴情報及び当該顔特徴情報に対応する人物の重要度が登録された人物重要度情報を記憶する記憶部と、
前記顔領域検出部により検出された前記顔領域から特徴量を検出する顔特徴検出部と、
前記顔特徴検出部により検出された特徴量と前記記憶されている顔特徴情報とを照合することにより、前記顔領域の人物を特定する顔認識部と、を更に有し、
前記顔重要度判断部は、前記特定された人物に対応する前記記憶されている人物重要度情報に基づいて、前記顔領域の重要度を判断することを特徴とする請求項１に記載の画像表示装置。
【請求項３】
前記メイン画像の領域に、前記サブ画像を表示する候補領域となる複数のサブ画像表示領域が予め定義されていることを特徴とする請求項１又は２に記載の画像表示装置。
【請求項４】
メイン画像と、当該メイン画像に重なるサブ画像とを表示することが可能な画像表示方法であって、
前記メイン画像に表示された人物の顔領域を検出する顔領域検出工程と、
前記検出された顔領域について、前記メイン画像における重要度を判断する顔重要度判断工程と、
前記顔領域の重要度に基づいて、前記メイン画像における前記サブ画像の表示位置を設定する表示位置設定工程と、を有することを特徴とする画像表示方法。
【請求項５】
メイン画像と、当該メイン画像に重なるサブ画像とを表示することが可能な画像表示プログラムであって、
前記メイン画像に表示された人物の顔領域を検出する顔領域検出機能と、
前記検出された顔領域について、前記メイン画像における重要度を判断する顔重要度判断機能と、
前記顔領域の重要度に基づいて、前記メイン画像における前記サブ画像の表示位置を設定する表示位置設定機能と、をコンピューターに実行させるための画像表示プログラム。
【発明の詳細な説明】
【技術分野】
【０００１】
本発明は、画像表示装置、画像表示方法及び画像表示プログラムに関する。
【背景技術】
【０００２】
従来、例えばフォトビューワーなどにおいて、主たる表示対象であるメイン画像に対して、アイコンや撮影情報などの文字列をサブ画像として重ねて表示するものがある。例えば、特許文献１では、メイン画像を表示する主画面にサブ画像を表示する副画面を重ねて表示でき、主画面に表示されている画像内の顔の位置に応じて顔が見えるように主画面と副画面の表示を制御している。
【先行技術文献】
【特許文献】
【０００３】
【特許文献１】特開２００９−８９０５１号公報
【発明の概要】
【発明が解決しようとする課題】
【０００４】
しかしながら、特許文献１では、主画面の顔と副画面が重ならないようにするために、副画面の位置や大きさを制御したり、重なった場合に顔が見えるように副画面の透過度を制御したりしている。ここで、主画面に複数の人物の顔があって、これらの顔のいずれかに副画面が重なってしまう場合、隠れるのを避けたい重要な人物の顔に副画面が重なってしまう可能性がある。また、その顔が副画面から透過できたとしても顔が見えにくくなってしまう。
【課題を解決するための手段】
【０００５】
本発明は、上述の課題の少なくとも一部を解決するためになされたものであり、以下の形態又は適用例として実現することが可能である。
【０００６】
［適用例１］メイン画像と、当該メイン画像に重なるサブ画像とを表示することが可能な画像表示装置であって、前記メイン画像に表示された人物の顔領域を検出する顔領域検出部と、前記検出された顔領域について、前記メイン画像における重要度を判断する顔重要度判断部と、前記顔領域の重要度に基づいて、前記メイン画像における前記サブ画像の表示位置を設定する表示位置設定部と、を有することを特徴とする画像表示装置。
【０００７】
上記した画像表示装置によれば、顔重要度判断部が、メイン画像に表示された顔領域の重要度を判断する。そして、表示位置設定部が、顔領域の重要度に基づいてメイン画像におけるサブ画像の表示位置を設定する。顔領域の重要度に基づいてメイン画像におけるサブ画像の表示位置を設定することにより、重要度の高い顔領域とは重ならない位置にサブ画像を表示することができる。この結果、隠れるのを避けたい重要な人物の顔については、サブ画像に隠れることなく見ることができる。
【０００８】
［適用例２］人物の顔画像の特徴量が登録された顔特徴情報及び当該顔特徴情報に対応する人物の重要度が登録された人物重要度情報を記憶する記憶部と、前記顔領域検出部により検出された前記顔領域から特徴量を検出する顔特徴検出部と、前記顔特徴検出部により検出された特徴量と前記記憶されている顔特徴情報とを照合することにより、前記顔領域の人物を特定する顔認識部と、を更に有し、前記顔重要度判断部は、前記特定された人物に対応する前記記憶されている人物重要度情報に基づいて、前記顔領域の重要度を判断することを特徴とする上記画像表示装置。
【０００９】
上記した画像表示装置によれば、顔認識部が、顔領域から検出された特徴量と顔特徴情報とを照合することにより顔領域の人物を特定する。そして、顔重要度判断部は、特定された人物に対応する人物重要度情報に基づいて顔領域の重要度を判断する。これにより、メイン画像に表示された顔領域の重要度を、予め登録されている顔特徴情報及び人物重要度情報に基づいて得ることができる。
【００１０】
［適用例３］前記メイン画像の領域に、前記サブ画像を表示する候補領域となる複数のサブ画像表示領域が予め定義されていることを特徴とする上記画像表示装置。
【００１１】
上記した画像表示装置によれば、複数のサブ画像表示領域が予め定義されており、表示位置設定部は、これらのサブ画像表示領域の中から、顔領域の重要度に基づいてサブ画像の表示位置を設定することができる。これにより、略一定した位置にサブ画像が表示されることになり、ユーザーは、サブ画像を容易に確認することができる。
【００１２】
［適用例４］メイン画像と、当該メイン画像に重なるサブ画像とを表示することが可能な画像表示方法であって、前記メイン画像に表示された人物の顔領域を検出する顔領域検出工程と、前記検出された顔領域について、前記メイン画像における重要度を判断する顔重要度判断工程と、前記顔領域の重要度に基づいて、前記メイン画像における前記サブ画像の表示位置を設定する表示位置設定工程と、を有することを特徴とする画像表示方法。
【００１３】
上記した画像表示方法によれば、顔重要度判断工程において、メイン画像に表示された顔領域の重要度を判断する。そして、表示位置設定工程において、顔領域の重要度に基づいてメイン画像におけるサブ画像の表示位置を設定する。顔領域の重要度に基づいてメイン画像におけるサブ画像の表示位置を設定することにより、重要度の高い顔領域とは重ならない位置にサブ画像を表示することができる。この結果、隠れるのを避けたい重要な人物の顔については、サブ画像に隠れることなく見ることができる。
【００１４】
［適用例５］メイン画像と、当該メイン画像に重なるサブ画像とを表示することが可能な画像表示プログラムであって、前記メイン画像に表示された人物の顔領域を検出する顔領域検出機能と、前記検出された顔領域について、前記メイン画像における重要度を判断する顔重要度判断機能と、前記顔領域の重要度に基づいて、前記メイン画像における前記サブ画像の表示位置を設定する表示位置設定機能と、をコンピューターに実行させるための画像表示プログラム。
【００１５】
上記した画像表示プログラムによれば、顔重要度判断機能により、メイン画像に表示された顔領域の重要度を判断する。そして、表示位置設定機能により、顔領域の重要度に基づいてメイン画像におけるサブ画像の表示位置を設定する。顔領域の重要度に基づいてメイン画像におけるサブ画像の表示位置を設定することにより、重要度の高い顔領域とは重ならない位置にサブ画像を表示することができる。この結果、隠れるのを避けたい重要な人物の顔については、サブ画像に隠れることなく見ることができる。
【図面の簡単な説明】
【００１６】
【図１】画像表示装置のハードウエアー構成を示すブロック図。
【図２】画像表示装置の機能構成を示すブロック図。
【図３】画像表示装置の動作を示すフローチャート。
【図４】メイン画像の領域内に表示する各サブ画像表示領域の例を示す図。
【図５】メイン画像に人物が含まれる例を示す図。
【図６】顔特徴情報及び人物重要度情報に基づいた人物テーブルの例を示す図。
【図７】各サブ画像表示領域の重要度を算出する例を示す図。
【図８】サブ画像表示領域の表示位置及び領域サイズを可変にした例を示す図。
【発明を実施するための形態】
【００１７】
以下、本実施形態に係る画像表示装置について、図面を参照して説明する。
【００１８】
＜画像表示装置の構成＞
最初に、本実施形態に係る画像表示装置の構成について説明する。
図１は、本実施形態に係る画像表示装置１のハードウエアー構成を示すブロック図である。この画像表示装置は、例えば、フォトビューワー、プリンター、プロジェクター、パソコン、デジタルカメラ、携帯電話などの情報処理機器の一機能として実施することができる。
【００１９】
画像表示装置１は、ＣＰＵ１１、内部メモリー１２、操作部１３、表示部１４、通信インターフェイス１５、記憶部１６等を備えている。
【００２０】
ＣＰＵ（Central Processing Unit）１１は、上記の各部を制御して、内部メモリー１２に格納されているプログラムに応じて各種の処理を実行する。内部メモリー１２は、ＣＰＵ１１が実行する各種プログラムや各種データを格納するＲＯＭ（Read Only Memory）、及びＣＰＵ１１が実行対象とするプログラムやデータを一時的に格納するＲＡＭ（Random Access Memory）によって構成されている。
【００２１】
操作部１３は、ボタンやタッチパネル等により構成され、ユーザーからの操作内容をＣＰＵ１１に通知する。表示部１４は、例えば液晶ディスプレイ等により構成され、ＣＰＵ１１から供給されたデータに対応する画像を表示する。通信インターフェイス１５は、例えばデジタルカメラ等の情報機器から画像データなどのやり取りを行うためのインターフェイスである。
【００２２】
記憶部１６は、例えば、ＥＥＰＲＯＭ（Electrically Erasable Programmable Read-Only Memory）やフラッシュメモリーのような不揮発性メモリー、又はハードディスクにより構成される。記憶部１６には、人物の顔画像の特徴量が登録された顔特徴情報１６ａ、及び当該顔特徴情報１６ａに対応する人物の重要度が登録された人物重要度情報１６ｂが予め記憶されている。
【００２３】
図２は、画像表示装置１の機能構成を示すブロック図である。同図に示すように、画像表示装置１は、メイン画像表示部５１、顔領域検出部５２、顔特徴検出部５３、顔認識部５４、顔重要度判断部５５、表示位置設定部５６、サブ画像表示部５７等の各機能を備えている。これらの機能は、ＣＰＵ１１が、内部メモリー１２に記憶されている所定のプログラムを実行することよって実現される。
【００２４】
メイン画像表示部５１は、例えば人物画像や風景画像等を、メイン画像として表示部１４の全面に渡って表示する。このメイン画像は、例えばデジタルカメラ等の情報機器から通信インターフェイス１５を介して取得したものである。
また、サブ画像表示部５７は、例えば、アイコン、撮影情報などの文字列、ヒストグラム等をサブ画像としてメイン画像の一部に重なるように表示する。このため、メイン画像の領域内には、サブ画像を表示する領域候補となる複数のサブ画像表示領域が予め定義されている。各サブ画像表示領域について、メイン画像の領域内における表示位置、領域サイズ、優先度等の定義情報が記憶部１６に予め記憶されている。この定義情報は、ユーザーが操作部１３を介して適宜設定することができる。
【００２５】
顔領域検出部５２は、メイン画像表示部５１により表示された画像に含まれる全ての顔領域を検出する。本実施形態では、例えば、テンプレートを利用したパターンマッチングによる方法（特開２００６−２７９４６０号公報参照）等の公知の検出方法を用いて顔領域を検出する。
【００２６】
顔特徴検出部５３は、顔領域検出部５２により検出された顔領域から顔の特徴量を検出する。この特徴量は、顔領域の人物の顔認識を行うために用いられる。ここでは、顔領域から顔、目及び口の器官輪郭と、それらの顔領域における相対位置を検出する。本実施形態では、上記した顔領域の検出と同様に、例えば、テンプレートを利用したパターンマッチングによる方法等の公知の検出方法を用いて顔器官を検出する。
【００２７】
顔認識部５４は、顔特徴検出部５３において顔領域から検出された特徴量と、記憶部１６に記憶されている顔特徴情報１６ａとを照合することにより、顔領域検出部５２により検出された顔領域の人物を特定する。
【００２８】
顔重要度判断部５５は、顔認識部５４において特定された人物について、記憶部１６に記憶されている人物重要度情報１６ｂを参照することにより、メイン画像における当該人物の顔領域の重要度を求める。ここで、重要度が高い顔領域は、重要度が低い顔領域に比して、メイン画像においてサブ画像が重なることで隠れてしまう可能性が低い顔領域となる。逆に、重要度が低い顔領域は、重要度が高い顔領域に比して、メイン画像においてサブ画像が重なることで隠れてしまう可能性が高い顔領域となる。
【００２９】
表示位置設定部５６は、顔領域検出部５２により検出された顔領域に基づいて、複数のサブ画像表示領域のうち、いずれのサブ画像表示領域にサブ画像を表示するのかを設定する。このとき、表示位置設定部５６は、各サブ画像表示領域の優先度に基づいて、又は顔重要度判断部５５において求めた顔領域の重要度等に基づいてサブ画像表示領域を設定することもある。
【００３０】
＜画像表示装置の動作＞
次に、本実施形態に係る画像表示装置の動作について説明する。
図３は、本実施形態に係る画像表示装置１の動作を示すフローチャートである。
【００３１】
先ず、画像表示装置１は、メイン画像表示部５１により、通信インターフェイス１５を介して取得したメイン画像を表示部１４に表示する（ステップＳ１１０）。なお、本フローチャートでは、メイン画像に人物が含まれる例について説明する。
【００３２】
次に、画像表示装置１は、顔領域検出部５２により、ステップＳ１１０において表示されたメイン画像に含まれる全ての人物の顔領域を検出する（ステップＳ１２０）。
【００３３】
次に、画像表示装置１は、メイン画像の領域内に表示する各サブ画像表示領域の表示位置・領域サイズ・優先度を記憶部１６から取得する（ステップＳ１３０）。
【００３４】
図４は、メイン画像Ｍの領域内に表示する領域候補となる各サブ画像表示領域Ａ，Ｂ，Ｃ，Ｄの例を示す図である。同図では、ステップＳ１３０において、各サブ画像表示領域Ａ，Ｂ，Ｃ，Ｄの各表示位置（メイン画像Ｍの四隅）と、各領域サイズと、各サブ画像表示領域Ａ，Ｂ，Ｃ，Ｄ間の優先度（Ａ＞Ｂ＞Ｃ＞Ｄ）を取得する。また、図５（ａ）〜（ｃ）は、メイン画像Ｍに人物が含まれる例を示す図である。以降、図４及び図５を例にして説明を行う。
【００３５】
次に、画像表示装置１は、ステップＳ１２０において検出された顔領域が各サブ画像表示領域と重なるか否かを判定する（ステップＳ１４０）。ここでは、各サブ画像表示領域内に顔領域の顔座標が入っているか否かの判定を行っている。また、各サブ画像表示領域と比較する顔領域の顔座標は、メイン画像や、メイン画像を縮小した画像や、予め画像ファイルに埋め込まれているサムネイルに対して、人物の顔領域を検出して、その結果、得られた顔領域の顔座標を表示媒体の大きさに合わせて座標変換しても良い。また、メイン画像を縮小する際に表示媒体の大きさに縮小した画像を使って顔領域を検出し、得られた座標をそのまま使用しても良い。なお、顔領域は矩形や楕円などで表され、顔領域の顔座標とはそれらの内部の点の座標を指し、座標は画像の例えば左上の画素などの基準の点からの座標である。
【００３６】
顔領域が各サブ画像表示領域のいずれにも重ならない場合（ステップＳ１４０：Ｙｅｓ）は、画像表示装置１は、表示位置設定部５６により、初期位置のサブ画像表示領域を表示領域に設定する。そして、サブ画像表示部５７により、サブ画像を表示して（ステップＳ１６０）、処理を終了する。図５（ａ）の例では、人物Ｐ１の顔領域は、サブ画像表示領域Ａ，Ｂ，Ｃ，Ｄのいずれにも重なっていない。従って、初期位置のサブ画像表示領域Ａにサブ画像が表示される。
【００３７】
他方、顔領域が各サブ画像表示領域のいずれかにでも重なっている場合（ステップＳ１４０：Ｎｏ）は、画像表示装置１は、顔領域と重ならないサブ画像表示領域が少なくとも１つあるか否かを判定する（ステップＳ１５０）。
【００３８】
顔領域と重ならないサブ画像表示領域が少なくとも１つある場合（ステップＳ１５０：Ｙｅｓ）は、画像表示装置１は、表示位置設定部５６により、顔領域と重ならないサブ画像表示領域の中から最も優先度の高いサブ画像表示領域を表示領域に設定する。そして、サブ画像表示部５７により、サブ画像を表示して（ステップＳ１７０）、処理を終了する。図５（ｂ）の例では、人物Ｐ１，Ｐ２の顔領域が、サブ画像表示領域Ｂ，Ｃには重なっていない。更に、サブ画像表示領域Ｂの方がサブ画像表示領域Ｃよりも優先度が高い。従って、サブ画像表示領域Ｂにサブ画像が表示される。
【００３９】
他方、顔領域と重ならないサブ画像表示領域が１つもない場合、即ち全てのサブ画像表示領域にいずれかの顔領域が重なっている場合（ステップＳ１５０：Ｎｏ）は、次のステップＳ１８０へ進む。
【００４０】
ステップＳ１８０では、画像表示装置１は、顔特徴検出部５３により、各サブ画像表示領域に重なっている顔領域から特徴量を検出するために器官輪郭検出を行う（ステップＳ１８０）。そして、画像表示装置１は、顔認識部５４及び顔重要度判断部５５により、ステップＳ１８０において検出された各顔領域の特徴量と、記憶部１６に記憶されている顔特徴情報１６ａ及び人物重要度情報１６ｂとに基づいて、各顔領域の顔認識を行い、メイン画像における各顔領域の重要度を求める（ステップＳ１９０）。
【００４１】
図５（ｃ）の例では、サブ画像表示領域Ａ，Ｂ，Ｃ，Ｄに人物Ｐ１，Ｐ２，Ｐ３，Ｐ１１，Ｐ１２のいずれかの顔領域が重なっている。このため、ステップＳ１８０において各人物Ｐ１，Ｐ２，Ｐ３，Ｐ１１，Ｐ１２の顔領域の特徴量を検出し、ステップＳ１９０において各人物Ｐ１，Ｐ２，Ｐ３，Ｐ１１，Ｐ１２の顔領域の重要度を求める。
図６は、顔特徴情報１６ａ及び人物重要度情報１６ｂに基づいた人物テーブルの例を示す図である。同図では、人物Ｐ１，Ｐ２，Ｐ３について、各人物の顔特徴情報となる特徴量Ｔ１，Ｔ２，Ｔ３、及び各人物の人物重要度情報となる重要度１００，５０，１００が登録されている。また、該当しない人物については重要度１０として登録されている。ステップＳ１８０において検出された人物Ｐ１，Ｐ２，Ｐ３，Ｐ１１，Ｐ１２の各顔領域の特徴量をそれぞれＴ１，Ｔ２，Ｔ３，Ｔ１１，Ｔ１２とすると、図６の人物テーブルの特徴量と比較することにより、人物Ｐ１，Ｐ２，Ｐ３，Ｐ１１，Ｐ１２の各顔領域の重要度１００，５０，１００，１０，１０を求めることができる。
【００４２】
ステップＳ２００では、画像表示装置１は、ステップＳ１９０において求めた各顔領域の重要度に基づいて、各サブ画像表示領域の重要度を算出する。ここでは、各サブ画像表示領域において、各サブ画像表示領域に重なる顔領域の重要度の総和をとることにより重要度を算出する。そして、画像表示装置１は、表示位置設定部５６により、各サブ画像表示領域の中から最も重要度の低いサブ画像表示領域を表示領域に設定する。そして、サブ画像表示部５７により、サブ画像を表示して（ステップＳ２１０）、処理を終了する。
【００４３】
図７は、各サブ画像表示領域の重要度を算出する例を示す図である。同図は、図５（ｃ）及び図６の例における重要度の算出を示している。例えば、サブ画像表示領域Ｂでは、人物Ｐ１１の顔領域のみが重なっており、人物Ｐ１１の重要度１０がサブ画像表示領域Ｂの重要度として算出される。また、サブ画像表示領域Ｃでは、人物Ｐ３，Ｐ１２の顔領域が重なっており、人物Ｐ３，Ｐ１２の重要度１００，１０の総和をとることにより、サブ画像表示領域Ｃの重要度１１０が算出される。そして、図７の例では、サブ画像表示領域Ｂの重要度が最も低いことから、サブ画像表示領域Ｂにサブ画像が表示される。
【００４４】
上述した実施形態では、図５（ｃ）の例のように全てのサブ画像表示領域にいずれかの顔領域が重なっている場合、各顔領域の特徴量を検出して顔認識を行なう。そして、各顔領域の重要度を基に各サブ画像表示領域の重要度を算出し、最も重要度の低いサブ画像表示領域にサブ画像を表示する。これにより、サブ画像は、メイン画像において重要となる人物の顔画像を避けて、あまり重要でない人物の顔画像に重なって表示されることになる。従って、顔が隠れるのを避けたい重要な人物については、予め画像表示装置１に登録することにより、サブ画像によって顔が隠れることなく見ることができる。
【００４５】
（変形例１）
上述した実施形態では、メイン画像の領域内における表示位置、領域サイズ及び優先度が定義された複数のサブ画像表示領域が設定されている。しかし、これに限られず、表示位置が可変であって領域サイズが固定の１つのサブ画像表示領域、又は表示位置及び領域サイズが共に可変の１つのサブ画像表示領域を設定してサブ画像を表示するようにしても良い。
【００４６】
この場合、メイン画像から検出された顔領域と重ならない位置にサブ画像表示領域を設定する。ここで、メイン画像の顔領域のいずれかにサブ画像が重なってしまう場合、顔領域の重要度に基づいてサブ画像表示領域を設定する。また、領域サイズが可変であれば、領域サイズを縮小することにより顔領域と重ならないようにしても良い。これにより、メイン画像に表示された人物の顔画像とサブ画像とが重なるのを、更にきめ細かく防ぐことができる。
【００４７】
また、サブ画像表示領域の表示位置を、重要度の高い顔領域から遠い位置となるように設定しても良い。図８は、サブ画像表示領域の表示位置及び領域サイズを可変にした例を示す図である。同図に対して図６の人物テーブルを適用すると、人物Ｐ１，Ｐ３の顔領域の重要度が最も高くなる。従って、人物Ｐ１，Ｐ３の顔領域から最も遠い位置に、縮小されたサブ画像表示領域Ｅが設定されてサブ画像が表示される。これにより、メイン画像において重要な人物の顔を見るにあたって、例えばサブ画像が近くにあって気になる等の好ましくない影響を抑えることができる。
【００４８】
（変形例２）
上述した実施形態では、サブ画像表示領域の重要度を算出する際、サブ画像表示領域に重なる顔領域の重要度の総和をとることにより算出している。しかし、これに限られず、重なる顔領域の重要度の平均値、重なる顔領域の中の最も高い重要度、重なる顔領域の面積又は重なっている面積部分の割合、重なる顔領域の人数等に基づいて、サブ画像表示領域の重要度を算出しても良い。また、これらの各要素とサブ画像表示領域の優先度とに重み付けを行って重要度を算出しても良い。
【００４９】
（変形例３）
上述した実施形態では、人物毎に登録された重要度に従って顔領域の重要度を求めている。しかし、これに限られず、例えば、子供又は大人、男性又は女性などの識別を顔領域から検出し、これらの識別に基づいて、予め登録されている例えば子供優先や女性優先などの設定に従って顔領域の重要度を算出しても良い。
【符号の説明】
【００５０】
１…画像表示装置、１１…ＣＰＵ、１２…内部メモリー、１３…操作部、１４…表示部、１５…通信インターフェイス、１６…記憶部、１６ａ…顔特徴情報、１６ｂ…人物重要度情報、５１…メイン画像表示部、５２…顔領域検出部、５３…顔特徴検出部、５４…顔認識部、５５…顔重要度判断部、５６…表示位置設定部、５７…サブ画像表示部。
【図１】
2011134173.tif 000003
【図２】
2011134173.tif 000004
【図３】
2011134173.tif 000005
【図４】
2011134173.tif 000006
【図５】
2011134173.tif 000007
【図６】
2011134173.tif 000008
【図７】
2011134173.tif 000009
【図８】
2011134173.tif 000010